(57)【要約】  不連続送信および受信を制御する方法および装置が開示される。ノードＢは、ＵＥ（Ｕｓｅｒ  Ｅｑｕｉｐｍｅｎｔ：ユーザー設備）のためにＤＴＸ（Ｄｉｓｃｏｎｔｉｎｕｏｕｓ  Ｔｒａｎｓｍｉｓｓｉｏｎ：不連続送信）および／またはＤＲＸ（Ｄｉｓｃｏｎｔｉｎｕｏｕｓ  Ｒｅｃｅｐｔｉｏｎ：不連続受信）に対するオフセットをスケジュールし、そしてそのオフセットをＵＥに送出する。次にＵＥは受信されたオフセットに基づき、ＤＴＸおよび／またはＤＲＸパターンをシフトさせる。ＵＥは、ＤＴＸおよびＤＲＸに対する起動命令（ｃｏｍｍａｎｄ）の送信時点に基づきオフセットを修正することができる。ＵＥは、ＵＥが下り回線データを受信するか、または上り回線データを送信するときに、ＤＴＸパターンおよびＤＲＸパターンをシフトさせるために、下り回線受信および上り回線送信の時点におけるサブ・フレーム番号に基づいて、ＤＴＸおよびＤＲＸに対するオフセットを修正することができる。
2010512052.tif 000002
【特許請求の範囲】
【請求項１】
不連続送信および受信を制御する方法であって、
ノードＢが、ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするステップと、
前記ノードＢが、前記オフセットを前記ＵＥに送出するステップと
を備え、
前記オフセットによって、前記受信されたオフセットに基づき、ＤＴＸパターンおよびＤＲＸパターンのうちの少なくとも１つがシフトされることを可能にすることを特徴とする方法。
【請求項２】
前記ノードＢは、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを送出することを特徴とする請求項３に記載の方法。
【請求項３】
前記ノードＢは、種別２ＨＳ−ＳＣＣＨにおける特別情報（ｓｐｅｃｉａｌ  ｉｎｆｏｒｍａｔｉｏｎ）ビットを、前記オフセットを送出するために使用することを特徴とする請求項２に記載の方法。
【請求項４】
前記特別情報ビットのうちの４ビットは前記オフセットを示すために使用され、残余の特別情報ビットは前記ＨＳ−ＳＣＣＨ送信が前記オフセットの変更に関連することを示すために使用されることを特徴とする請求項３に記載の方法。
【請求項５】
前記ノードＢは、あらかじめオフセット値の部分集合を前記ＵＥに割り付けるステップをさらに備え、前記特別情報ビットは、オフセット値の前記部分集合のうちの１つを示すために使用されることを特徴とする請求項３に記載の方法。
【請求項６】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項１に記載の方法。
【請求項７】
不連続送信および受信を制御する方法であって、
ノードＢが、ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするステップと、
前記ノードＢが、起動命令（ｃｏｍｍａｎｄ）を前記ＵＥに送出するステップと
を備え、
前記オフセットは、前記起動命令の前記送信時点に基づき、ＤＴＸパターンおよびＤＲＸパターンのうちの少なくとも１つをシフトさせるために修正されることを特徴とする方法。
【請求項８】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項７に記載の方法。
【請求項９】
不連続送信および受信を制御する方法であって、
ＵＥ（Ｕｓｅｒ  Ｅｑｕｉｐｍｅｎｔ：ユーザー設備）が、ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットを受信するステップと、
前記ＵＥが、前記オフセットに基づきＤＴＸパターンおよびＤＲＸパターンのうちの少なくとも１つをシフトさせるステップと
を備えたことを特徴とする方法。
【請求項１０】
前記ＵＥは、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを受信することを特徴とする請求項９に記載の方法。
【請求項１１】
前記オフセットは、種別２ＨＳ−ＳＣＣＨにおける特別情報ビットを使用して送出されることを特徴とする請求項１０に記載の方法。
【請求項１２】
前記特別情報ビットのうちの４ビットは前記オフセットを示すために使用され、残余の特別情報ビットは前記ＨＳ−ＳＣＣＨ送信が前記オフセットの変更に関連することを示すために使用されることを特徴とする請求項１１に記載の方法。
【請求項１３】
前記特別情報ビットは、あらかじめ割り付けられた複数のオフセット値のうちの１つを示すために使用されることを特徴とする請求項１１に記載の方法。
【請求項１４】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項９に記載の方法。
【請求項１５】
不連続送信および受信を制御する方法であって、
ＵＥ（Ｕｓｅｒ  Ｅｑｕｉｐｍｅｎｔ：ユーザー設備）が、ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対する起動命令を受信するステップと、
前記ＵＥが、前記起動命令の前記送信時点に基づき、ＤＴＸパターンおよびＤＲＸパターンのうちの少なくとも１つをシフトさせるためにＤＴＸおよびＤＲＸのうちの少なくとも１つに対するオフセットを修正するステップと
を備えたことを特徴とする方法。
【請求項１６】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項１５に記載の方法。
【請求項１７】
不連続送信および受信を制御する方法であって、
ＵＥ（Ｕｓｅｒ  Ｅｑｕｉｐｍｅｎｔ：ユーザー設備）が、ＤＴＸ（Ｄｉｓｃｏｎｔｉｎｕｏｕｓ  Ｔｒａｎｓｍｉｓｓｉｏｎ：不連続送信）を実施するステップと、
前記ＵＥが、前記ＵＥが上り回線データを送信するときに、前記上り回線データ送信の時点におけるサブ・フレーム番号に基づき、ＤＴＸに対するオフセットをリセットするステップと
を備えたことを特徴とする方法。
【請求項１８】
前記上り回線送信は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介することを特徴とする請求項１７に記載の方法。
【請求項１９】
不連続送信および受信を制御する方法であって、
ＵＥ（Ｕｓｅｒ  Ｅｑｕｉｐｍｅｎｔ：ユーザー設備）が、ＤＲＸ（Ｄｉｓｃｏｎｔｉｎｕｏｕｓ  Ｒｅｃｅｐｔｉｏｎ：不連続受信）を実施するステップと、
前記ＵＥが、前記ＵＥが下り回線データを受信したときに、前記下り回線データ受信の時点におけるサブ・フレーム番号に基づき、ＤＲＸに対するオフセットをリセットするステップと
を備えたことを特徴とする方法。
【請求項２０】
前記下り回線受信は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）およびＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）のうちの１つを介することを特徴とする請求項１９に記載の方法。
【請求項２１】
不連続送信および受信を制御するノードＢであって、
ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするスケジューラと、
前記ＵＥに前記オフセットを送出する送受信機と
を備え、
前記オフセットは、前記受信されたオフセットに基づき、ＤＴＸパターンおよびＤＲＸパターンのうちの少なくとも１つがシフトされることを可能にすることを特徴とするノードＢ。
【請求項２２】
前記送受信機は、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを送出することを特徴とする請求項２１に記載のノードＢ。
【請求項２３】
前記送受信機は、前記オフセットを送出するために種別２ＨＳ−ＳＣＣＨにおける特別情報ビットを使用することを特徴とする請求項２２に記載のノードＢ。
【請求項２４】
前記特別情報ビットのうちの４ビットは前記オフセットを示すために使用され、そして残余の特別情報ビットは前記ＨＳ−ＳＣＣＨ送信が前記オフセットの変更に関連することを示すために使用されることを特徴とする請求項２３に記載のノードＢ。
【請求項２５】
前記スケジューラは、あらかじめオフセット値の部分集合を前記ＵＥに割り付けることであって、前記特別情報ビットが、オフセット値の前記部分集合のうちの１つを示すために使用されることを特徴とする請求項２３に記載のノードＢ。
【請求項２６】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項２１に記載のノードＢ。
【請求項２７】
不連続送信および受信を制御するためのノードＢであって、
送受信機と、
ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングし、および前記ＵＥに起動命令を送出するスケジューラと
を備え、
前記オフセットは、前記起動命令の前記送信時点に基づき、ＤＴＸパターンおよびＤＲＸパターンのうちの少なくとも１つをシフトさせるために修正されることを特徴とするノードＢ。
【請求項２８】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項２７に記載のノードＢ。
【請求項２９】
不連続送信および受信を制御するためのＵＥ（Ｕｓｅｒ  Ｅｑｕｉｐｍｅｎｔ：ユーザー設備）であって、
ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つを実施している間に、ＤＴＸおよびＤＲＸのうちの少なくとも１つに対するオフセットをノードＢから受信する送受信機と、
前記受信されたオフセットに基づき、ＤＴＸパターンおよびＤＲＸパターンのうちの少なくとも１つをシフトさせる制御装置と
を備えたことを特徴とするＵＥ。
【請求項３０】
前記送受信機は、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを受信することを特徴とする請求項２９に記載のＵＥ。
【請求項３１】
種別２ＨＳ−ＳＣＣＨにおける特別情報ビットは、前記オフセットを送出するために使用されることを特徴とする請求項３０に記載のＵＥ。
【請求項３２】
前記特別情報ビットのうちの４ビットは前記オフセットを示すために使用され、残余の特別情報ビットは前記ＨＳ−ＳＣＣＨ送信が前記オフセットの変更に関連することを示すために使用されることを特徴とする請求項３０に記載のＵＥ。
【請求項３３】
前記特別情報ビットは、あらかじめ割り付けられた複数のオフセット値のうちの１つを示すために使用されることを特徴とする請求項３１に記載のＵＥ。
【請求項３４】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項２９に記載のＵＥ。
【請求項３５】
不連続送信および受信を制御するＵＥ（Ｕｓｅｒ  Ｅｑｕｉｐｍｅｎｔ：ユーザー設備）であって、
ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対する起動命令を受信する送受信機と、
前記起動命令の前記送信時点に基づき、ＤＴＸパターンおよびＤＲＸパターンのうちの少なくとも１つをシフトさせるために、ＤＴＸオフセットおよびＤＲＸオフセットのうちの少なくとも１つを修正する制御装置と
を備えたことを特徴とするＵＥ。
【請求項３６】
前記オフセットは、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つであることを特徴とする請求項３５に記載のＵＥ。
【請求項３７】
不連続送信を制御するためのＵＥ（Ｕｓｅｒ  Ｅｑｕｉｐｍｅｎｔ：ユーザー設備）であって、
送受信機と、
前記ＵＥが上り回線データを送信するときに、前記上り回線データ送信の時点におけるサブ・フレーム番号に基づき、ＤＴＸ（Ｄｉｓｃｏｎｔｉｎｕｏｕｓ  Ｔｒａｎｓｍｉｓｓｉｏｎ：不連続送信）に対するオフセットをリセットする制御装置と
を備えたことを特徴とするＵＥ。
【請求項３８】
前記上り回線送信は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介することを特徴とする請求項３７に記載のＵＥ。
【請求項３９】
不連続受信を制御するＵＥ（Ｕｓｅｒ  Ｅｑｕｉｐｍｅｎｔ：ユーザー設備）であって、
送受信機と、
前記ＵＥが下り回線データを受信したときに、前記下り回線データ受信の時点におけるサブ・フレーム番号に基づき、ＤＲＸ（Ｄｉｓｃｏｎｔｉｎｕｏｕｓ  Ｒｅｃｅｐｔｉｏｎ：不連続受信）に対するオフセットをリセットする制御装置と
を備えたことを特徴とするＵＥ。
【請求項４０】
前記下り回線受信は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）およびＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）のうちの１つを介することを特徴とする請求項３９に記載のＵＥ。
【発明の詳細な説明】
【技術分野】
【０００１】
本発明は無線通信に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）リリース７仕様には、ＣＰＣ（Ｃｏｎｔｉｎｕｏｕｓ  Ｐａｃｋｅｔ  Ｃｏｎｎｅｃｔｉｖｉｔｙ：連続的パケット接続性）の拡張（ｅｎｈａｎｃｅｍｅｎｔ）の導入が行われている。ＣＰＣは、ＵＥ（Ｕｓｅｒ  Ｅｑｕｉｐｍｅｎｔ：ユーザー設備）にはリソースが割り当てられており、必要な場合はいつでも連続的動作が可能である（すなわち、すべてのサブ・フレームにおいて送受信することができる）にも拘わらず、データが非アクティブの間に不連続に送信または受信する（すなわち、上り回線および下り回線のサブ・フレームの部分集合のみにおいて送信または受信する）モードである。不連続上り回線送信および下り回線受信により、システム容量およびＵＥのバッテリ寿命は増加する。
【０００３】
ＣＰＣを実装するため、上位層（例えば、ＲＲＣ（Ｒａｄｉｏ  Ｒｅｓｏｕｒｃｅ  Ｃｏｎｔｒｏｌ：無線リソース制御）層）が、ＤＴＸ（Ｄｉｓｃｏｎｔｉｎｕｏｕｓ  Ｔｒａｎｓｍｉｓｓｉｏｎ：不連続送信）および／またはＤＲＸ（Ｄｉｓｃｏｎｔｉｎｕｏｕｓ  Ｒｅｃｅｐｔｉｏｎ：不連続受信）について、送信および受信パターンならびにトリガーを設定するためのパラメーターを定義する。パラメーターの１つは「ＵＥ＿ＤＴＸ＿ＤＲＸ＿Ｏｆｆｓｅｔ」であり、これがサブ・フレームにおける上り回線ＤＰＣＣＨ（Ｄｅｄｉｃａｔｅｄ  Ｐｈｙｓｉｃａｌ  Ｃｏｎｔｒｏｌ  ＣＨａｎｎｅｌ：個別物理制御チャンネル）送信オフセットおよび下り回線ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）受信オフセットを一緒に制御する。それぞれのＵＥのオフセットを制御することによって、ネットワークにおいて、種々のＵＥの送信および受信が、確実に十分に時間の間隔を開けて実行されるようにすることが可能となる。
【０００４】
ＤＴＸおよびＤＲＸは、種々に応用することができる。応用の１つはＶｏＩＰ（Ｖｏｉｃｅ  ｏｖｅｒ  Ｉｎｔｅｒｎｅｔ  Ｐｒｏｔｏｃｏｌ）である。ＶｏＩＰについては、上り回線および下り回線が沈黙の期間のみではなくまた、一定の条件の下では音声がアクティブな期間の時間のかなりの割合で、受信および／または送信においてＵＥを非アクティブとすることができる。
【０００５】
上り回線について、ＤＴＸを有効にすることにより、一定の条件（例えば、Ｅ−ＤＣＨ（Ｅｎｈａｎｃｅｄ  Ｄｅｄｉｃａｔｅｄ  ＣＨａｎｎｅｌ：拡張個別チャンネル）送信なし、プリアンブルまたはポストアンブル送信の必要性なし、およびＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）送信なしなど）のもとに、送信パターンのみに従ってＵＥの上り回線ＤＰＣＣＨの送信が可能になる。送信パターンは、ＵＥ＿ＤＴＸ＿ＤＲＸ＿ＯｆｆｓｅｔおよびＵＥのＣＦＮ（Ｃｏｎｎｅｃｔｉｏｎ  Ｆｒａｍｅ  Ｎｕｍｂｅｒ：接続フレーム番号）に基づき定められる。ＤＴＸを使用可能にすることにより、上り回線上に発生する干渉がより少なくなるため、直接的に容量を改善することができる。すべてのＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理を２ｍｓのＴＴＩ（Ｔｒａｎｓｍｉｓｓｉｏｎ  Ｔｉｍｅ  Ｉｎｔｅｒｖａｌ：送信時間間隔）で音声と共に使用する必要はないため、２ｍｓのＴＴＩを使用することができるほどノードＢの十分近くにＵＥがある場合、上り回線のこのような干渉は音声アクティブ期間の間でさえ低減させることができる。
【０００６】
下り回線については、ＤＲＸを使用可能にすることにより、ユーザーまたは制御データの受信の間のみ、かつその後定められた期間の間だけ、ＵＥが自身の受信機をオンにすることになり、その後受信パターンに従って、ＵＥは自身の受信機をオフにすることができる。これにより、下り回線についてＵＥは、音声非アクティブな期間にはバッテリを節約することが可能となる。またこれにより、セルの中心に十分近いＵＥが音声アクティブの期間にこれらのＵＥは高い瞬間データ速度で受信することができるため、したがって利用可能なＴＴＩの部分の間に、断続的に自ら受信機をオフにすることが可能となる。例えば、ＲＲＣは、０サブ・フレームに設定されたパラメーターＩｎａｃｔｉｖｉｔｙ＿Ｔｈｒｅｓｈｏｌｄ＿ｆｏｒ＿ＵＥ＿ＤＲＸ＿ｃｙｃｌｅ、および４サブ・フレームに設定されたＵＥ＿ＤＲＸ＿ｃｙｃｌｅパラメーターでＤＲＸを構成することができる。その後ノードＢは、パターン（４つのうちの１つ）に従ってＵＥが起動されるべきサブ・フレームの間だけ、ＵＥに対する送信をスケジューリングすることができる。
【０００７】
通常の音声セッションにおけるアクティブおよび非アクティブの期間は、容認できない信号処理負荷および遅延を招くことなくＲＲＣ信号処理により追跡するには一般に高過ぎる頻度で変化する。ＣＰＣ実装提案のうちの１つによると、ＵＥ＿ＤＴＸ＿ＤＲＸ＿Ｏｆｆｓｅｔは、ＲＲＣなどの上位層により設定される。これは、音声接続の処理の間は、ＵＥ＿ＤＴＸ＿ＤＲＸ＿Ｏｆｆｓｅｔパラメーターが固定値のままで留まることを意味する。
【発明の概要】
【発明が解決しようとする課題】
【０００８】
このような制限がある場合、ＤＲＸの使用により、ノードＢは一定の組のＴＴＩの間でのみＵＥをスケジュールしなければならなくなるため、下り回線についてＤＲＸの使用により、セルが最大能力の近辺で動作しているときには得られる可能性のあるバッテリ節約が大きく損なわれるかもしれない。音声のアクティブおよび非アクティブの期間はＵＥの間で相互に関連付けられてはいないので、所与の周期で定められる一連のＴＴＩでの送信のスケジュールが可能な音声アクティブな、平均以上の数のＵＥが存在するという状況が頻繁に生じるであろう。そのような状況は、これらのＵＥのうち他のＴＴＩで自ら送信のスケジュールを実行するＵＥがあるため、ノードＢがＤＲＸを無効にしない限り、関係するＵＥで輻輳（長い待ち時間）が発生するであろう。
【０００９】
上り回線については、ＵＥ＿ＤＴＸ＿ＤＲＸ＿Ｏｆｆｓｅｔパラメーターが固定されるのは、一群の音声非アクティブのＵＥがずらされた（ｓｔａｇｇｅｒｅｄ）送信パターンを有する（所与の時間で、ほとんど同数のＤＰＣＣＨを送信する音声非アクティブなＵＥがある）場合にのみ、システム容量を最大にすることができるにすぎないため、システム容量の観点から最適とは言えない。音声非アクティブな一群のＵＥは動的に変化するため、この状況は、固定のＵＥ＿ＤＴＸ  ＤＲＸ＿Ｏｆｆｓｅｔにより実現することはできない。
【課題を解決するための手段】
【００１０】
不連続送信および受信を制御する方法および装置が開示される。ノードＢは、ＵＥのためにＤＴＸおよび／またはＤＲＸに対するオフセットをスケジュールし、そのオフセットをＵＥに送出する。次にＵＥは受信されたオフセットに基づき、ＤＴＸおよび／またはＤＲＸパターンをシフトさせる。ＵＥは、ＤＴＸおよびＤＲＸに対する起動命令（ｃｏｍｍａｎｄ）の送信時点に基づき、オフセットを修正することができる。ＵＥは、ＵＥが下り回線データを受信するか、または上り回線データを送信するときに、ＤＴＸパターンおよびＤＲＸパターンをシフトさせるために、下り回線受信および上り回線送信の時点におけるサブ・フレーム番号に基づいて、ＤＴＸおよびＤＲＸに対するオフセットを修正することができる。
【図面の簡単な説明】
【００１１】
例として与えられ、そして添付された図面に関連して理解されるべき以下の記述から、より詳細な理解を得ることができる。
【図１】ＤＴＸおよび／またはＤＲＸを制御するように構成された一例のＵＥおよびノードＢを示す図である。
【発明を実施するための形態】
【００１２】
これ以後参照する場合、用語「ＵＥ」は、限定的ではなく、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、移動端末、固定パターンまたは移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する機能を有する他の如何なる種別のユーザー・デバイスをも含む。これ以後参照する場合、用語「ノードＢ（Ｎｏｄｅ−Ｂ）」は、限定的ではなく、基地局（ｂａｓｅ  ｓｔａｔｉｏｎ）、サイト制御装置、ＡＰ（Ａｃｃｅｓｓ  Ｐｏｉｎｔ：アクセス・ポイント）、または無線環境において動作する機能のある他の如何なる種別のインターフェイス・デバイスをも含む。
【００１３】
ここに記述された実施形態は、不連続送信および／または受信を採用する、限定的ではなく、３ＧＰＰシステムのＨＳＰＡ＋（ｅｖｏｌｖｅｄ  Ｈｉｇｈ  Ｓｐｅｅｄ  Ｐａｃｋｅｔ  Ａｃｃｅｓｓ：発展型高速パケット・アクセス）およびＬＴＥ（Ｌｏｎｇ  ｔｅｒｍ  Ｅｖｏｌｕｔｉｏｎ：長期的発展型）を含む、何れの無線通信システムにも適用可能である。
【００１４】
図１は、ＤＴＸおよび／またはＤＲＸを制御するように構成された一例のＵＥ１１０およびノードＢ１２０を示す。ＵＥ１１０は、送受信機１１２および制御装置１１４を備える。ＵＥ１１０は、ＤＴＸおよび／またはＤＲＸを実装するため、ＤＴＸおよび／またはＤＲＸに対するオフセットを含むＤＴＸおよび／またはＤＲＸパラメーターを有する。ＤＴＸパターンおよび／またはＤＲＸパターンはこのパラメーターにより定義される。オフセットは、ＤＴＸおよびＤＲＸを一緒に制御するためのＵＥ＿ＤＴＸ＿ＤＲＸ＿Ｏｆｆｓｅｔとすることができる。またこれに替えて、オフセットはＤＴＸまたはＤＲＸに対して別々のオフセットとすることができる。制御装置１１４は、構成設定されたパラメーターに基づき不連続に送信および／または受信するため、送受信機１１２を選択的にオンおよびオフする。
【００１５】
ノードＢ１２０は、送受信機１２２およびスケジューラ１２４を備える。スケジューラ１２４は、ＤＴＸおよび／またはＤＲＸパターンをスケジューリングすることができ、そしてＵＥ１１０に対してＵＥ＿ＤＴＸ＿ＤＲＸ＿Ｏｆｆｓｅｔ（または、ＤＴＸおよび／またはＤＲＸに対する別々のオフセット）を動的に修正するため、ＵＥ１１０に信号を送出する。ＤＲＸの機能を全体としてなくすのではなく、いくつかのＵＥのオフセットを変更することによって、オフセット・パラメーターの調整により、輻輳を軽減することができる。オフセット・パラメーターの調整はまた、必要なら、ＤＴＸにおいて音声非アクティブなＵＥのＤＰＣＣＨの送信をずらせること（ｓｔａｇｇｅｒｉｎｇ）により、ノードＢ１２０が上り回線容量を最適化することが可能になる。上り回線最適化は、下り回線最適化と独立には実行することはできない。したがってノードＢ１２０は、ＵＥ＿ＤＴＸ＿ＤＲＸ＿ＯｆｆｓｅｔではなくＤＴＸおよび／またはＤＲＸに対して別々のオフセットを信号伝達することができる。この信号処理を実装するための下り回線のオーバーヘッドに関する追加のコストは小さい。
【００１６】
ノードＢ１２０は、ＨＳ−ＳＣＣＨの指示（ｏｒｄｅｒ）としてＨＳ−ＳＣＣＨを介してＵＥ＿ＤＴＸ＿ＤＲＸ＿Ｏｆｆｓｅｔを信号伝達することができる。例えば、ＨＳ＿ＳＣＣＨ（種別２）は「特別情報（ｓｐｅｃｉａｌ  ｉｎｆｏｒｍａｔｉｏｎ）」ビット（７ビット）を伝える。７ビットの特別情報ビットは、ＵＥ＿ＤＴＸ＿ＤＲＸ＿Ｏｆｆｓｅｔの値を示すために使用することができる。例えば、ＵＥ＿ＤＴＸ＿ＤＲＸ＿Ｏｆｆｓｅｔの値が０から１５まで変化する場合があるなら、４つの「特別情報」ビットをＵＥ＿ＤＴＸ＿ＤＲＸ＿Ｏｆｆｓｅｔの値を示すために使用することができ、そして残りの３ビットをＵＥ＿ＤＴＸ＿ＤＲＸ＿Ｏｆｆｓｅｔの変更に指示が関連することを示すために使用することができる。
【００１７】
あるいはまた、一連のＵＥ＿ＤＴＸ＿ＤＲＸ＿Ｏｆｆｓｅｔ値の一部をあらかじめＵＥ１１０に（例えば、ＲＲＣ信号処理により）信号伝達することができる。例えば、可能なＵＥ＿ＤＴＸ＿ＤＲＸ＿Ｏｆｆｓｅｔ値の３および１２をＵＥ１１０に割り付けることができる。この状況において、２つの値のうちの１つを特定するため、ただ１ビットが必要となる（例えば、ＵＥ＿ＤＴＸ＿ＤＲＸ＿オフセット値３を「０」に対応付けることが可能であり、そしてＵＥ＿ＤＴＸ＿ＤＲＸ＿オフセット値１２を「１」に対応付けることが可能である）。この方式については、ＵＥ＿ＤＴＸ＿ＤＲＸ＿Ｏｆｆｓｅｔ値を示すために１ビットのみの「特別情報」を使用し、６ビットはＨＳ−ＳＣＣＨ種別２のチャンネルの他の信号情報のために残しておく。
【００１８】
上述の信号処理機構は、ＤＴＸおよび／またはＤＲＸに対して別々のオフセットを信号伝達するために使用することができる。この場合において、オフセットがＤＴＸまたはＤＲＸの何れに適用されるかを信号伝達するためには追加ビットが必要である。
【００１９】
別の実施形態によると、ＤＴＸおよび／またはＤＲＸパターンの開始点を起動命令の送信時点に対応付けることによって、ノードＢ１２０からのＤＴＸまたはＤＲＸ起動命令を、ＤＴＸおよび／またはＤＲＸパターンをシフトさせるために使用することができる。例えば、以下のようにＤＴＸまたはＤＲＸ起動命令の受信でオフセットを修正することができる：
オフセット＝Ｓ＋Ｄ；
ここで、Ｓは起動命令が受信された時点でのサブ・フレーム番号であり、そしてＤは固定されているか、または上位層により定義されるかのいずれかのパラメーターである。オフセットは、（ＤＴＸまたはＤＲＸの起動命令がそれぞれ受信されているか否かに依存し）ＵＥ＿ＤＴＸ＿ＤＲＸ＿Ｏｆｆｓｅｔ、またはＤＴＸまたはＤＲＸに対する独立なオフセットとすることができる。
【００２０】
別の実施形態によると、ＵＥ１１０がデータを受信するか、または送信するときは常に、オフセット値を黙示的にリセットすることができる。例えば、データ（例えば、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）またはＨＳ−ＳＣＣＨについてのデータ）の受信、またはデータ（例えば、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）についてのデータ）の送信のときに、以下のようにオフセット値をリセットすることができる：
オフセット＝Ｓ＋Ｄ；
ここで、Ｓは下り回線データ（例えば、ＨＳ−ＰＤＳＣＨもしくはＨＳ−ＳＣＣＨ、または同様のものについてのデータ）が受信された時点でのサブ・フレーム番号、または上り回線データ（例えば、Ｅ−ＤＰＤＣＨまたは同様のものについてのデータ）が送信された時点でのサブ・フレーム番号である。Ｄは固定されているか、または上位層により定義されるかのいずれかのパラメーターである。
【００２１】
実施態様
１．不連続送信および受信を制御する方法。
【００２２】
２．ノードＢが、ＵＥのＤＴＸおよびＤＲＸのうちの少なくとも１つに対するオフセットをスケジューリングするステップを具備する実施形態１の方法。
【００２３】
３．前記ノードＢが、前記オフセットを前記ＵＥに送出するステップを具備する実施形態２の方法。
【００２４】
４．前記オフセットが、前記受信されたオフセットに基づき、ＤＴＸパターンおよびＤＲＸパターンのうちの少なくとも１つがシフトされることを可能にする実施形態３の方法。
【００２５】
５．前記ノードＢが、ＨＳ−ＳＣＣＨを介して前記オフセットを送出する実施形態３〜４のいずれかの方法。
【００２６】
６．前記ノードＢが、種別２ＨＳ−ＳＣＣＨにおける特別情報ビットを前記オフセットを送出するために使用する実施形態５の方法。
【００２７】
７．前記特別情報ビットのうちの４ビットが前記オフセットを示すために使用され、そして残余の特別情報ビットが、前記ＨＳ−ＳＣＣＨ送信が前記オフセットの変更に関連することを示すために使用される実施形態６の方法。
【００２８】
８．前記ノードＢが、あらかじめオフセット値の部分集合を前記ＵＥに割り付けるステップをさらに具備する実施態様６〜７のいずれかの方法。
【００２９】
９．前記特別情報ビットが、オフセット値の前記部分集合のうちの１つを示すために使用される実施態様８の方法。
【００３０】
１０．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様２〜９のいずれかの方法。
【００３１】
１１．前記ノードＢが、起動命令を前記ＵＥに送出するステップを具備する実施態様２の方法。
【００３２】
１２．前記オフセットが、前記起動命令の前記送信時点に基づき、ＤＴＸパターンおよびＤＲＸパターンのうちの少なくとも１つをシフトさせるために修正される実施態様１１の方法。
【００３３】
１３．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様１１〜１２のいずれかの方法。
【００３４】
１４．不連続送信および受信を制御する方法。
【００３５】
１５．ＵＥが，ＤＴＸおよびＤＲＸのうちの少なくとも１つに対するオフセットを受信するステップを具備する実施態様１４の方法。
【００３６】
１６．前記ＵＥが、前記オフセットに基づきＤＴＸパターンおよびＤＲＸパターンのうちの少なくとも１つをシフトさせるステップを具備する実施態様１５の方法。
【００３７】
１７．前記ＵＥが、ＨＳ−ＳＣＣＨを介して前記オフセットを受信する実施態様１５〜１６のいずれかの方法。
【００３８】
１８．前記オフセットを送出するために種別２ＨＳ−ＳＣＣＨにおける特別情報ビットを使用する実施態様１７の方法。
【００３９】
１９．前記特別情報ビットのうちの４ビットが前記オフセットを示すために使用され、そして残余の特別情報ビットが、前記ＨＳ−ＳＣＣＨ送信が前記オフセットの変更に関連することを示すために使用される実施態様１８の方法。
【００４０】
２０．前記特別情報ビットが、あらかじめ割り付けられた複数のオフセット値のうちの１つを示すために使用される実施態様１８〜１９のいずれかの方法。
【００４１】
２１．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様１５〜２０のいずれかの方法。
【００４２】
２２．ＵＥが、ＤＴＸおよびＤＲＸのうちの少なくとも１つに対する起動命令を受信するステップを具備する実施態様１４の方法。
【００４３】
２３．前記ＵＥが、前記起動命令の前記送信時点に基づき、ＤＴＸパターンおよびＤＲＸパターンのうちの少なくとも１つをシフトさせるためにＤＴＸおよびＤＲＸのうちの少なくとも１つに対するオフセットを修正するステップを具備する実施態様２２の方法。
【００４４】
２４．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様２２〜２３のいずれかの方法。
【００４５】
２５．ＵＥが、ＤＴＸを実施するステップを具備する実施態様１４の方法。
【００４６】
２６．前記ＵＥが、前記ＵＥが上り回線データを送信するときに、前記上り回線データ送信の時点におけるサブ・フレーム番号に基づき、ＤＴＸに対するオフセットをリセットするステップを具備する実施態様２５の方法。
【００４７】
２７．前記上り回線送信が、Ｅ−ＤＰＤＣＨを介する実施態様２６の方法。
【００４８】
２８．ＵＥが、ＤＲＸを実施するステップを具備する実施態様１４の方法。
【００４９】
２９．前記ＵＥが、前記ＵＥが下り回線データを受信したときに、前記下り回線データ受信の時点におけるサブ・フレーム番号に基づき、ＤＲＸに対するオフセットをリセットするステップを具備する実施態様２８の方法。
【００５０】
３０．前記下り回線受信が、ＨＳ−ＰＤＳＣＨおよびＨＳ−ＳＣＣＨのうちの１つを介する実施態様２９の方法。
【００５１】
３１．不連続送信および受信を制御するためのノードＢ。
【００５２】
３２．ＵＥのＤＴＸおよびＤＲＸのうちの少なくとも１つに対するオフセットをスケジューリングするためのスケジューラを具備する実施態様３１のノードＢ。
【００５３】
３３．前記ＵＥに前記オフセットを送出するための送受信機を具備する実施態様３２のノードＢ。
【００５４】
３４．前記オフセットによって、前記受信されたオフセットに基づき、ＤＴＸパターンおよびＤＲＸパターンのうちの少なくとも１つがシフトされることを可能にする実施態様３３のノードＢ。
【００５５】
３５．前記送受信機が、ＨＳ−ＳＣＣＨを介して前記オフセットを送出する実施態様３３〜３４のいずれかのノードＢ。
【００５６】
３６．前記送受信機が、前記オフセットを送出するために種別２ＨＳ−ＳＣＣＨにおける特別情報ビットを使用する実施態様３５のノードＢ。
【００５７】
３７．前記特別情報ビットのうちの４ビットが前記オフセットを示すために使用され、そして残余の特別情報ビットが、前記ＨＳ−ＳＣＣＨ送信が前記オフセットの変更に関連することを示すために使用される実施態様３６のノードＢ。
【００５８】
３８．前記スケジューラが、あらかじめオフセット値の部分集合を前記ＵＥに割り付けることであって、前記特別情報ビットが、オフセット値の前記部分集合のうちの１つを示すために使用される実施態様３２〜３７のいずれかのノードＢ。
【００５９】
３９．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様３２〜３８のいずれかのノードＢ。
【００６０】
４０．送受信機を具備する実施態様３１のノードＢ。
【００６１】
４１．ＵＥのＤＴＸおよびＤＲＸのうちの少なくとも１つに対するオフセットをスケジューリングするため、および前記ＵＥに起動命令を送出するためのスケジューラを具備する実施態様４０のノードＢ。
【００６２】
４２．前記オフセットが、前記起動命令の前記送信時点に基づき、ＤＴＸパターンおよびＤＲＸパターンのうちの少なくとも１つをシフトさせるために修正される実施態様４１のノードＢ。
【００６３】
４３．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様４１〜４２のいずれかのノードＢ。
【００６４】
４４．不連続送信および受信を制御するためのＵＥ。
【００６５】
４５．ＤＴＸおよびＤＲＸのうちの少なくとも１つを実施している間に、ＤＴＸおよびＤＲＸのうちの少なくとも１つに対するオフセットをノードＢから受信するための送受信機を具備する実施態様４４のＵＥ。
【００６６】
４６．前記受信されたオフセットに基づき、ＤＴＸパターンおよびＤＲＸパターンのうちの少なくとも１つをシフトさせるための制御装置を具備する実施態様４５のＵＥ。
【００６７】
４７．前記送受信機が、ＨＳ−ＳＣＣＨを介して前記オフセットを受信する実施態様４５〜４６のいずれかのＵＥ。
【００６８】
４８．種別２ＨＳ−ＳＣＣＨにおける特別情報ビットが、前記オフセットを送出するために使用される実施態様４７のＵＥ。
【００６９】
４９．前記特別情報ビットのうちの４ビットが前記オフセットを示すために使用され、そして残余の特別情報ビットが、前記ＨＳ−ＳＣＣＨ送信が前記オフセットの変更に関連することを示すために使用される実施態様４８のＵＥ。
【００７０】
５０．前記特別情報ビットが、あらかじめ割り付けられた複数のオフセット値のうちの１つを示すために使用される実施態様４８〜４９のいずれかのＵＥ。
【００７１】
５１．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様４５〜５０のいずれかのＵＥ。
【００７２】
５２．ＤＴＸおよびＤＲＸのうちの少なくとも１つに対する起動命令を受信するための送受信機を具備する実施態様４４のＵＥ。
【００７３】
５３．前記起動命令の前記送信時点に基づき、ＤＴＸパターンおよびＤＲＸパターンのうちの少なくとも１つをシフトさせるために、ＤＴＸオフセットおよびＤＲＸオフセットのうちの少なくとも１つを修正するための制御装置を具備する実施態様５２のＵＥ。
【００７４】
５４．前記オフセットが、前記ＤＴＸおよび前記ＤＲＸを結合的に制御するためのＵＥ＿ＤＴＸ＿ＤＲＸ＿Ｏｆｆｓｅｔ、ＤＴＸのみを制御するためのＤＴＸオフセット、およびＤＲＸのみを制御するためのＤＲＸオフセットのうちの１つである、実施態様５３のＵＥ。
【００７５】
５５．不連続送信を制御するためのＵＥ。
【００７６】
５６．送受信機を具備する実施態様５５のＵＥ。
【００７７】
５７．前記ＵＥが上り回線データを送信するときに、前記上り回線データ送信の時点におけるサブ・フレーム番号に基づき、ＤＴＸに対するオフセットをリセットするための制御装置を具備する実施態様５５〜５６のいずれかのＵＥ。
【００７８】
５８．前記上り回線送信がＥ−ＤＰＤＣＨを介する実施態様５７のＵＥ。
【００７９】
５９．不連続受信を制御するためのＵＥ。
【００８０】
６０．送受信機を具備する実施態様５９のＵＥ。
【００８１】
６１．前記ＵＥが下り回線データを受信したときに、前記下り回線データ受信の時点におけるサブ・フレーム番号に基づき、ＤＲＸに対するオフセットをリセットするための制御装置を具備する実施態様５９〜６０のいずれかのＵＥ。
【００８２】
６２．前記下り回線受信が、ＨＳ−ＰＤＳＣＨおよびＨＳ−ＳＣＣＨのうちの１つを介する実施態様６１のＵＥ。
【００８３】
本願発明の特徴および要素が好適な実施形態において特定の組み合わせで説明したが、各々の特徴または要素は、好適な実施形態の他の特徴および要素なしで単独で、または他の特徴および要素のあるなしにかかわらず様々な組み合わせで使用可能である。この方法またはフロー図は、汎用目的のコンピューターまたは処理装置による実行のための、コンピューターにて読み取り可能な記憶装置媒体にて実装されるコンピューター・プログラム、ソフトウェア、またはファームウェアにて実行することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００８４】
適切な処理装置の例としては、汎用処理装置、専用処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他のいずれかの種別のＩＣ（Ｉｎｔｅｇｒａｔｅｄ  Ｃｉｒｃｕｉｔ：集積回路）、および／または状態マシンが含まれる。
【００８５】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオカメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
2010512052.tif 000003
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
不連続送信および受信を制御する方法であって、
ノードＢが、ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするステップと、
前記ノードＢが、前記オフセットを前記ＵＥに送出するステップと
を備え、
前記オフセットによって、前記受信されたオフセットに基づき、ＤＴＸパターンおよびＤＲＸパターンのうちの少なくとも１つがシフトされることを可能にすることを特徴とする方法。
【請求項２】
前記ノードＢは、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを送出することを特徴とする請求項１に記載の方法。
【請求項３】
不連続送信および受信を制御する方法であって、
ノードＢが、ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするステップと、
前記ノードＢが、起動命令（ｃｏｍｍａｎｄ）を前記ＵＥに送出するステップと
を備え、
前記オフセットは、前記起動命令の前記送信時点に基づき、ＤＴＸパターンおよびＤＲＸパターンのうちの少なくとも１つをシフトさせるために修正されることを特徴とする方法。
【請求項４】
不連続送信および受信を制御する方法であって、
ＵＥ（Ｕｓｅｒ  Ｅｑｕｉｐｍｅｎｔ：ユーザー設備）が，ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットを受信するステップと、
前記ＵＥが、前記オフセットに基づきＤＴＸパターンおよびＤＲＸパターンのうちの少なくとも１つをシフトさせるステップと
を備えたことを特徴とする方法。
【請求項５】
前記ＵＥは、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを受信することを特徴とする請求項４に記載の方法。
【請求項６】
不連続送信および受信を制御する方法であって、
ＵＥ（Ｕｓｅｒ  Ｅｑｕｉｐｍｅｎｔ：ユーザー設備）が、ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対する起動命令を受信するステップと、
前記ＵＥが、前記起動命令の前記送信時点に基づき、ＤＴＸパターンおよびＤＲＸパターンのうちの少なくとも１つをシフトさせるためにＤＴＸおよびＤＲＸのうちの少なくとも１つに対するオフセットを修正するステップと
を備えたことを特徴とする方法。
【請求項７】
不連続送信および受信を制御する方法であって、
ＵＥ（Ｕｓｅｒ  Ｅｑｕｉｐｍｅｎｔ：ユーザー設備）が、ＤＴＸ（Ｄｉｓｃｏｎｔｉｎｕｏｕｓ  Ｔｒａｎｓｍｉｓｓｉｏｎ：不連続送信）を実施するステップと、
前記ＵＥが、前記ＵＥが上り回線データを送信するときに、前記上り回線データ送信の時点におけるサブ・フレーム番号に基づき、ＤＴＸに対するオフセットをリセットするステップと
を備えたことを特徴とする方法。
【請求項８】
前記上り回線送信は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介することを特徴とする請求項７に記載の方法。
【請求項９】
不連続送信および受信を制御する方法であって、
ＵＥ（Ｕｓｅｒ  Ｅｑｕｉｐｍｅｎｔ：ユーザー設備）が、ＤＲＸ（Ｄｉｓｃｏｎｔｉｎｕｏｕｓ  Ｒｅｃｅｐｔｉｏｎ：不連続受信）を実施するステップと、
前記ＵＥが、前記ＵＥが下り回線データを受信したときに、前記下り回線データ受信の時点におけるサブ・フレーム番号に基づき、ＤＲＸに対するオフセットをリセットするステップと
を備えたことを特徴とする方法。
【請求項１０】
前記下り回線受信は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）およびＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）のうちの１つを介することを特徴とする請求項９に記載の方法。
【請求項１１】
不連続送信および受信を制御するためのノードＢであって、
ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングするスケジューラと、
前記ＵＥに前記オフセットを送出する送受信機と
を備え、
前記オフセットは、前記受信されたオフセットに基づき、ＤＴＸパターンおよびＤＲＸパターンのうちの少なくとも１つがシフトされることを可能にすることを特徴とするノードＢ。
【請求項１２】
前記送受信機は、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを送出することを特徴とする請求項１１に記載のノードＢ。
【請求項１３】
不連続送信および受信を制御するノードＢであって、
送受信機と、
ＵＥ（Ｕｓｅｒ  Ｅｑｕｉｐｍｅｎｔ：ユーザー設備）のＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対するオフセットをスケジューリングし、および前記ＵＥに起動命令を送出するスケジューラと
を備え、
前記オフセットは、前記起動命令の前記送信時点に基づき、ＤＴＸパターンおよびＤＲＸパターンのうちの少なくとも１つをシフトさせるために修正されることを特徴とするノードＢ。
【請求項１４】
不連続送信および受信を制御するＵＥ（Ｕｓｅｒ  Ｅｑｕｉｐｍｅｎｔ：ユーザー設備）であって、
ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つを実施している間に、ＤＴＸおよびＤＲＸのうちの少なくとも１つに対するオフセットをノードＢから受信する送受信機と、
前記受信されたオフセットに基づき、ＤＴＸパターンおよびＤＲＸパターンのうちの少なくとも１つをシフトさせる制御装置と
を備えたことを特徴とするＵＥ。
【請求項１５】
前記送受信機は、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を介して前記オフセットを受信することを特徴とする請求項１４に記載のＵＥ。
【請求項１６】
不連続送信および受信を制御するＵＥ（Ｕｓｅｒ  Ｅｑｕｉｐｍｅｎｔ：ユーザー設備）であって、
ＤＴＸ（Ｄｉｓｃｏｎｔｉｎｕｏｕｓ  Ｔｒａｎｓｍｉｓｓｉｏｎ：不連続送信）およびＤＲＸ（Ｄｉｓｃｏｎｔｉｎｕｏｕｓ  Ｒｅｃｅｐｔｉｏｎ：不連続受信）のうちの少なくとも１つに対する起動命令を受信する送受信機と、
前記起動命令の前記送信時点に基づき、ＤＴＸパターンおよびＤＲＸパターンのうちの少なくとも１つをシフトさせるために、ＤＴＸオフセットおよびＤＲＸオフセットのうちの少なくとも１つを修正する制御装置と
を備えたことを特徴とするＵＥ。
【請求項１７】
不連続送信を制御するためのＵＥ（Ｕｓｅｒ  Ｅｑｕｉｐｍｅｎｔ：ユーザー設備）であって、
送受信機と、
前記ＵＥが上り回線データを送信するときに、前記上り回線データ送信の時点におけるサブ・フレーム番号に基づき、ＤＴＸ（Ｄｉｓｃｏｎｔｉｎｕｏｕｓ  Ｔｒａｎｓｍｉｓｓｉｏｎ：不連続送信）に対するオフセットをリセットする制御装置と
を備えたことを特徴とするＵＥ。
【請求項１８】
前記上り回線送信は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介することを特徴とする請求項１７に記載のＵＥ。
【請求項１９】
不連続受信を制御するＵＥ（Ｕｓｅｒ  Ｅｑｕｉｐｍｅｎｔ：ユーザー設備）であって、
送受信機と、
前記ＵＥが下り回線データを受信したときに、前記下り回線データ受信の時点におけるサブ・フレーム番号に基づき、ＤＲＸ（Ｄｉｓｃｏｎｔｉｎｕｏｕｓ  Ｒｅｃｅｐｔｉｏｎ：不連続受信）に対するオフセットをリセットする制御装置と
を備えたことを特徴とするＵＥ。
【請求項２０】
前記下り回線受信は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）およびＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）のうちの１つを介することを特徴とする請求項１９に記載のＵＥ。
【国際調査報告】
2010512052.tif 000004
2010512052.tif 000005